(57)【要約】本発明は、特にビデオ／オーディオアプリケーションなどのネットワーク同報通信アプリケーション用のメモリーシステムに関する。上記システムは、少なくとも１つのメモリー（ＰＭ、ＰＭ１〜ＰＭｉ）を有し、メモリー（ＰＭ、ＰＭ１〜ＰＭｉ）は、アドレス可能な複数のメモリーユニット（Ｍ１〜Ｍｘ）に分割されており、メモリーユニット（Ｍ１〜Ｍｘ）は、データ交換用の独自の出力部（Ａ１〜Ａｘ）をそれぞれ有している。マトリックス切替部の各入力部（Ｉ１〜Ｉｘ）は、異なるメモリーユニットの各出力部（Ａ１〜Ａｘ）とそれぞれ接続されている。マトリックス切替部は、以下のように操作される。すなわち、メモリーユニット（Ｍ１〜Ｍｘ）の複数が、連続した順序で、マトリックス切替部の出力部（ＯＰ１〜ＯＰｙ）と接続され、メモリーユニットの第１配列と、メモリーユニットの第２配列とが、独立してマトリックス切替部の出力部と接続されるように操作される。従って、本発明により、同じサーバーに対する複数の検索に対して、時間をずらせて対応でき、個々のメモリーユニット（Ｍ１〜Ｍｘ）とマトリックス切替部（ＭＳ）との相互作用により、データ処理量を増し、アクセス時間を短縮できる。
2006515445.tif 000002
【特許請求の範囲】
【請求項１】
特にビデオ／オーディオアプリケーションなどのネットワーク同報通信アプリケーション用のメモリーシステムであって、
少なくとも１つのメモリー（ＰＭ、ＰＭ１〜ＭＰｉ）と、
マトリックス切替部（ＭＳ）とを備え、
上記少なくとも１つのメモリー（ＰＭ、ＰＭ１〜ＭＰｉ）は、アドレス可能な複数のメモリーユニット（Ｍ１〜Ｍｘ）に分割されており、各メモリーユニット（Ｍ１〜Ｍｘ）が、データ交換用の専用出力部（Ａ１〜Ａｘ）を有し、
上記マトリックス切替部（ＭＳ）は、複数の入力部（Ｉ１〜Ｉｘ）と、少なくとも１つの出力部（ＯＰ１〜ＯＰｙ）と、少なくとも１つの制御入力部（ＣＴＬ）とを備えると共に、マトリックス切替部（ＭＳ）の各入力部がマトリックス切替部（ＭＳ）の出力部と接続可能になるように設計されており、
マトリックス切替部の入力部（Ｉ１〜Ｉｘ）はそれぞれ、異なるメモリーユニットの出力部（Ａ１〜Ａｘ）と接続されており、
マトリックス切替部の制御入力部（ＣＴＬ）を介して、マトリックス切替部の入力部（Ｉ１〜Ｉｘ）のどの入力部をマトリックス切替部の出力部（ＯＰ１〜ＯＰｙ）と接続するのかを設定可能になっており、
マトリックス切替部は、複数のメモリーユニット（Ｍ１〜Ｍｘ）が、逐次的な順序で、マトリックス切替部の出力部（ＯＰ１〜ＯＰｙ）と接続されるように操作可能になっているとともに、上記メモリーユニットの第１配列と上記メモリーユニットの第２配列とが、独立してマトリックス切替部の出力部と接続されている、メモリーシステム。
【請求項２】
メモリーユニット（Ｍ１〜Ｍｘ）にはそれぞれ、データセットが格納されており、
これらデータセットが、全体で、アプリケーション、特にビデオ／オーディオアプリケーションのまとまったデータセットを生成することを特徴とする、請求項１に記載のメモリーシステム。
【請求項３】
上記マトリックス切替部の出力部（ＯＰ１〜ＯＰｙ）には、独立してメモリーにアクセスする少なくとも２人の異なる使用者（ＡＷ１，ＡＷ２）が接続していることを特徴とする、請求項１または２に記載のメモリーシステム。
【請求項４】
上記メモリーは、各メモリーユニット（Ｍ１〜Ｍｘ）に蓄積されているデータが、該当するメモリーユニットの出力部（Ａ１〜Ａｘ）に逐次的に入力されるように駆動されていることを特徴とする、請求項１〜３のいずれか１項に記載のメモリーシステム。
【請求項５】
上記メモリーユニット（Ｍ１〜Ｍｘ）の大きさが動的に設定可能になっていることを特徴とする、請求項１〜４のいずれか１項に記載のメモリーシステム。
【請求項６】
上記メモリーシステムが、さらに、他のメモリー（ＨＤ１〜ＨＤｎ）を有し、上記他のメモリー（ＨＤ１〜ＨＤｎ）は、少なくとも１つのメモリー（ＰＭ１〜ＰＭｉ）のデータアクセス時間よりも遅いデータアクセス時間を有し、
上記メモリー（ＨＤ１〜ＨＤｎ、ＰＭ１〜ＰＭｉ）はそれぞれ、独立して、各使用者（ＡＷ１，ＡＷ２）と接続可能になっていることを特徴とする、請求項１〜５のいずれか１項に記載のメモリーシステム。
【請求項７】
上記少なくとも１つのメモリー（ＰＭ、ＰＭ１〜ＰＭｉ）が、ＳＲＡＭ、ＤＲＡＭ、ＭＲＡＭまたはフラッシュメモリーとして設計されており、
上記他のメモリー（ＨＤ１〜ＨＤｎ）が、ハードディスクメモリーとして設計されていることを特徴とする、請求項６に記載のメモリーシステム。
【請求項８】
上記少なくとも１つのメモリー（ＰＭ１〜ＰＭｉ）に、第１アプリケーション、特に、ビデオ／オーディオアプリケーションのデータセットが格納されており、
上記他のメモリー（ＨＤ１〜ＨＤｎ）に、第２アプリケーション、特にビデオ／オーディオアプリケーションのデータセットが格納されており、上記第２アプリケーションの作成日が、第１アプリケーションよりも古いことを特徴とする、請求項６または７に記載のメモリーシステム。
【請求項９】
請求項１〜８の何れか１項に記載のメモリーシステムの操作方法であって、
上記各メモリーユニット（Ｍ１〜Ｍｘ）に１つのデータセットを格納し、
少なくとも２つの出力対象となる配列のために、逐次的な順序で、メモリーユニットの異なる１つのメモリーユニットをそれぞれアドレスし、
該当するデータセットを、マトリックス切替部（ＭＳ）を介して、各配列の出力部（ＯＰ１〜ＯＰｙ）に入力することを特徴とする、方法。
【請求項１０】
出力対象となる各配列のために、メモリーユニット（Ｍ１〜Ｍｘ）の１つをアドレスし、
アドレスされたメモリーユニットで開始する出力対象となる配列ごとに、このアドレスされたメモリーユニットとそれに続く逐次的にアドレスされたメモリーユニットとからの完全なデータセットを、各マトリックス切替部の出力部（ＯＰ１〜ＯＰｙ）に入力することを特徴とする、請求項９に記載の方法。
【請求項１１】
各メモリーユニット（Ｍ１〜Ｍｘ）に格納されているデータを、該当するメモリーユニットの出力部（Ａ１〜Ａｘ）に逐次的に入力することを特徴とする、請求項９または１０に記載の方法。
【請求項１２】
上記逐次的な順序を中断可能であり、メモリーユニットの各データセットの出力によって継続できることを特徴とする、請求項９〜１１のいずれか１項に記載の方法。
【発明の詳細な説明】
【発明の詳細な説明】
【０００１】
本発明は、特にビデオ／オーディオアプリケーションなどのネットワーク同報通信アプリケーション用のメモリーシステム、および、このようなメモリーシステムの操作方法に関する。
【０００２】
ネットワーク同報通信アプリケーションの分野に、メモリーシステムは利用されている。このメモリーシステムでは、例えばビデオフィルムまたは音楽作品などのデータセットが、それぞれのメモリーに格納されている。これに関しては、従来、比較的多数のハードディスクメモリー（いわゆるハードディスククラスタ）を有するメモリーシステムが備えられているのが一般的である。なお、ハードディスクメモリーとは、大きいデータ量を比較的低コストで格納できるものである。複数の使用者は、特にネットワーク接続を介して、様々なデータセットまたは同じデータセットを呼び出せる。このために、対応するハードディスクメモリーがアドレスされる。この場合、ネットワーク同報通信アプリケーション独特の特徴点は、（例えば、ビデオフィルムまたは音楽作品の形態で）同じデータセットが、安定して所定の順序で呼び出される、ということである（「ビデオ−オーディオオンデマンド」）。従って、メモリーシステムに対する自由選択アクセス（いわゆるランダムアクセス）は行われない。
【０００３】
このように、メモリーシステムでは、データセットを格納するために多数のハードディスクメモリーを使用している。このようなメモリーシステムの欠点は、ハードディスクメモリーのデータ処理量が比較的少なくなり、データアクセス時間が制限されていることである。その結果、例えば、例えば同じビデオフィルムまたは同じ音楽作品を、時間をずらせて呼び出す複数の使用者から同時に問い合わせされると、該当するデータセットが格納されているハードディスクメモリーは、時間をずらせて検索されたデータセットを個々の使用者に対して連続的に提供するために、持続的に様々な記憶域をジャンプする必要がある。その結果、特に、このようなメモリーシステムは、データ処理量およびデータアクセス時間が大幅に制限されることとなる。
【０００４】
本発明の目的は、データ処理量をより多くし、かつアクセス時間をより短くできる、（特にビデオ／オーディオアプリケーションなどの）ネットワーク同報通信アプリケーション用のメモリーシステムを提供することである。
【０００５】
さらに、本発明の目的は、このようなメモリーシステムに適切な操作方法を提供することである。
【０００６】
この目的は、特許請求項１に記載のメモリーシステムおよび特許請求項９に記載のメモリーシステムの操作方法によって達成される。
【０００７】
本発明のメモリーシステムの核心部分は、それぞれにデータ交換用の専用出力部を備えたアドレス可能な複数のメモリーユニットに分割されたメモリー、及び、複数の入力部と少なくとも１つの出力部と制御入力部とを有するマトリックス切替部（いわゆるマルチスイッチ）である。マトリックス切替部は、以下のように設計されている。すなわち、マトリックス切替部の各入力部がマトリックス切替部の出力部と接続可能になるように設計されている。マトリックス切替部の入力部は、異なるメモリーユニットの出力部とそれぞれ接続されている。マトリックス切替部の少なくとも１つの制御入力部は、マトリックス切替部の複数の入力部のどの入力部を、マトリックス切替部の出力部と接続するかを設定するために用いられる。マトリックス切替部を、以下のように操作する。すなわち、メモリーユニットの複数が、連続した順序で、マトリックス切替部の出力部と接続されるように動作する。この場合、メモリーユニットの第１配列とメモリーユニットの第２配列とが、独立してマトリックス切替部の出力部と接続される。その結果、メモリーシステムでは、特にビデオ／オーディオアプリケーションなどのネットワーク同報通信アプリケーションの必要条件で、同じメモリーに対する複数の問い合わせに対して時間をずらせて対応可能になる。このとき、個々のメモリーユニットがマトリックス切替部と相互作用することにより、データ処理量を多くし、アクセス時間を短くできる。この場合、メモリーが、揮発性または不揮発性のＳＲＡＭ，ＤＲＡＭ，ＭＲＡＭまたはフラッシュメモリーとして設計されていれば特に有利である。
【０００８】
特に、メモリーの個々のメモリーユニットに、全体で、アプリケーション（特にビデオ／オーディオアプリケーション）のまとまったデータセットを生成するそれぞれのデータセットが格納されている。例えば、メモリーに、ビデオフィルムが格納されている。この場合、個々のメモリーユニットには、特定の長さのフィルム配列がそれぞれ格納されており、このフィルム連続は、全体として、まとまったビデオフィルムとなる。その結果、離散した間隔で、つまり、該当するメモリーニットをアドレスすることによって、データ連続を開始する可能性が出てくる。純粋に自由選択、または、純粋に連続したアクセス（例えば、上記のようなまたはビデオカセットなどのハードディスクメモリーシステム）を提供する従来使用されているメモリーシステムに対して、本発明のメモリーシステムを使用すると、今日のアプリケーション需要を考慮した２つの変形型を混合したものが得られる。個々のメモリーユニットへの離散およびマトリックス切替部の使用により自由選択アクセスをある程度制限すると、メモリー媒体のデータ率ではなく、原則的にマトリックス切替部の出力部の数だけが限定要素となる。しかしながら、出力部の数は、比較的低コストで増やせる。
【０００９】
本発明のメモリーシステムの操作時に、各メモリーユニットに１つのデータセットが格納される。上記メモリーユニットにおける異なる各メモリーユニットはそれぞれ、逐次的にアドレスされる。そして、該当するデータセットはそれぞれ、マトリックス切替部を介し、順序通りに入力される。詳細には、メモリーユニットの１つがそれぞれ、出力配列用にアドレスされる。そして、アドレスされたメモリーユニットで開始する出力対象となる配列ごとに、このメモリーユニットとそれに続く逐次的にアドレスされたメモリーユニットとからの、１つの完全なデータセットがマトリックス切替部の各出力部に入力される。この際、特に、それぞれのメモリーユニットに格納されているデータが、該当するメモリーユニットの出力部に連続的に入力されれば有利である。
【００１０】
特に有利な実施形態として、本発明のメモリーシステムには、複数のメモリーが備えられている。複数のメモリーは、性能が異なっており、特にデータアクセス時間が異なっている。例えば、本発明のメモリーは、比較的速度の速いメモリーとして実施されており、特に、ＳＲＡＭ，ＤＲＡＭ，ＭＲＡＭまたはフラッシュメモリーとして実施されている。メモリーシステムが、高速メモリーのデータアクセス時間よりも遅いデータアクセス時間を利用できる少なくとも１つのほかのメモリーを備えていることが有利である。特に、上記他のメモリーは、比較的低コストであり、比較的大きいデータ量を格納できるハードディスクメモリーとして設計されている。
【００１１】
このように設計されたメモリーシステムは、ネットワーク同報通信アプリケーション用に最適化可能である。例えば、高速メモリーには、比較的最近のアプリケーション（例えば、最近のビデオフィルム）のデータセットが格納されている。これに対し、より遅いハードディスクメモリーには、より古いアプリケーション（例えば、古いビデオフィルム）のデータセットが格納されている。このデータセットは、高速メモリーに格納されている第１アプリケーションよりも作成日が古い。このような方法は、より古いアプリケーション（特に、より古いビデオフィルム）が同時に複数の使用者から検索されることは比較的稀および非常に稀である、という認識に基づくものである。このためには、このようなデータセットを格納するための従来のいわゆるハードディスククラスタなどを有するメモリーシステムが適している。これに対し、より新しいビデオフィルムのような比較的最近のアプリケーションは、より頻繁におよび非常に頻繁に要求される。上述のように、本発明のメモリーシステムは、要求されるデータ率の上昇に適している
本発明のほかの好ましい実施形態および発展形態を、従属請求項に示す。
【００１２】
本発明を、図面に示す図を参考にして、以下に詳しく説明する。図１は、従来技術の特にネットワーク同報通信アプリケーション用のメモリーシステムを示す図である。図２は、本発明のメモリーシステムの一実施形態を示す図である。図３は、本発明のメモリーシステムの他の実施形態を示す図である。図４は、本発明のメモリーシステムに対する複数の使用者のデータアクセスについての経過パターンを示す図である。
【００１３】
図１に、いわゆるハードディスククラスタで構成されている従来技術のメモリーシステムを示す。このようなメモリーシステムは、特にビデオ／オーディオアプリケーションなどのネットワーク同報通信アプリケーション用に使用される。ネットワーク同報通信アプリケーションでは、特にビデオフィルムまたは音楽作品の形態のデータセットが、異なる使用者から要求される可能性がある。このため、従来では、大きなデータ量をかなり低いコストで格納できる複数のハードディスクメモリーＨＤ１〜ＨＤｎを有するメモリーシステムを使用していた。複数の使用者は、様々なデータセットまたは同じデータセットを、時間をずらして呼び出せる。とりわけ、複数のハードディスククラスタを有するこのようなメモリーシステムでは、冒頭部分に記載したように、比較的少ないデータ処理量および比較的遅いアクセス時間によって制限されている。
【００１４】
図２に、本発明のメモリーシステムの有利な一実施形態を示す。このメモリーシステムは、一方側に複数のハードディスクメモリーＨＤ１〜ＨＤｎのアレイを有し、他方側に、より速度の速いメモリーＰＭ１〜ＰＭｉのアレイを有している。メモリーＰＭ１〜ＰＭｉの構造および操作方法を、図３および図４を参考にしてより詳しく説明する。ハードディスクメモリーＨＤ１〜ＨＤｎとより速度の速いメモリーＰＭ１〜ＰＭｉとの双方は、それぞれのデータ線を介して、ＡＷ１およびＡＷ２などの異なる使用者と接続可能である。
【００１５】
図３に、本発明のメモリーシステムの有利な実施形態を示す。図２に示すメモリーＰＭ１〜ＰＭｉの１つの構成および接続を、図３を参考にして詳しく説明する。図３のメモリーシステムは、メモリーＰＭを備えている。このメモリーＰＭは、アドレス可能な複数のメモリーユニットＭ１〜Ｍｘに分割されている。これらのメモリーユニットＭ１〜Ｍｘは、データ交換用の専用出力部Ａ１〜Ａｘをそれぞれ備えている。マトリックス切替部（いわゆるマルチスイッチ）は、複数の入力部Ｉ１〜Ｉｘと、複数の出力部ＯＰ１〜ＯＰｙと、１つの制御入力部ＣＴＬとを備えている。マトリックス切替部ＭＳの入力部Ｉ１〜Ｉｘは、異なるメモリーユニットＭ１〜Ｍｘの出力部Ａ１〜Ａｘとそれぞれ接続されている。
【００１６】
メモリーユニットＭ１〜Ｍｘには、それぞれのデータセットが格納されている。それぞれのデータセットは、全体で、アプリケーション（特に、ビデオ／オーディオアプリケーション）のまとまったデータセットを生成する。例えば、メモリーユニットＭ１〜Ｍｘの各々に、ビデオフィルムの一部（特に、例えば５秒のビデオフィルムになるデータセット）がそれぞれ格納されている。例えば長さが１２０分のフィルムを生成するためには、本実施例では、各出力部を介してマトリックス切替部ＭＳに入力される１４４０個のメモリーユニットＭ１〜Ｍｘが必要である。
【００１７】
マトリックス切替部ＭＳの制御入力部ＣＴＬを介して、「マトリックス切替部ＭＳの入力部Ｉ１〜Ｉｘのどの入力部を、マトリックス切替部ＭＳの出力部ＯＰ１〜ＯＰｙの１つと接続するか」を設定できる。なお、出力部ＯＰ１〜ＰＯｙの数は、この例では、使用者の数によって決定されている。この場合、マトリックス切替部ＭＳを、以下のように操作する。すなわち、メモリーユニットＭ１〜Ｍｘの複数が、連続した順序で、相当する出力部ＯＰ１〜ＯＰｙと接続されるように操作する。この場合、メモリーユニットの第１配列とメモリーユニットの第２配列とが、独立して、該当する出力部に接続される。すなわち、本実施例では、出力部ＯＰ１・ＯＰ２と接続されている使用者ＡＷ１・ＡＷ２を、相互に独立して、メモリーユニットの異なる配列と接続する。言い換えると、独立してメモリーにアクセスする２人の異なる使用者ＡＷ１・ＡＷ２が、マトリックス切替部ＭＳに存在している。
【００１８】
複数の使用者のデータアクセスについての経過パターンを示す図４に関連して、図３の本発明のメモリーシステムの操作を以下で詳しく説明する。
【００１９】
時点ｔ１のとき、使用者＃１は、開始アドレスＡＤＲ＃０によって、図３のメモリーＰＭにアクセスする。すなわち、例えば出力部ＯＰ１と接続されている使用者＃１は、マトリックス切替部ＭＳを介して、ビデオフィルムの開始部が格納されているメモリーユニットＭ１と接続される。次に、逐次的な順序で、後続のメモリーユニットＭ２〜Ｍｘがアドレスされる。そして、該当するデータセットが、マトリックス切替部ＭＳを介して、各配列の出力部ＯＰ１に入力される。このとき、アドレスされたメモリーユニットＭ１で始まり、このアドレスされたメモリーユニットＭ１とそれに続く逐次的にアドレスされたメモリーユニットＭ２〜Ｍｘとからの、１つの完全なデータセットが、マトリックス切替部ＭＳの出力部ＯＰ１にそれぞれ入力される。このとき、それぞれのメモリーユニットＭ１〜Ｍｘに格納されたデータが、クロック信号ＣＫを用いて、該当するメモリーユニットの出力部Ａ１〜Ａｘに逐次的に入力される。
【００２０】
時点ｔ２のときに、使用者＃２は、アドレスＡＤＲ＃７によって、データセットにアクセスする。このデータセットは、メモリーユニットＭ２に格納されている。その結果、マトリックス切替部ＭＳの入力部Ｉ２が、例えば使用者＃２が存在している出力部ＯＰ２と接続される。使用者＃１と同じく、マトリックス切替部ＭＳは、使用者＃２に関して、以下のように操作される。すなわち、メモリーユニットＭ２〜Ｍｘが、連続した順序で、出力部ＯＰ２と接続されるように操作される。このとき、使用者＃１に関する配列は、使用者＃２に関する配列から独立している。
【００２１】
時点ｔ３のときに、例えばＯＰ３と接続されている使用者＃３は、アドレス＃３ＦＦＦＣによって、データセットにアクセスする。その結果、例えばマトリックス切替部ＭＳの入力部Ｉｘ−２が、出力部ＯＰ３と接続される。このアクセス配列も、使用者＃１・＃２に関するアクセスから独立して行われる。
【００２２】
つまり、原則的に、各使用者は、マトリックス切替部ＭＳを介して、データを得たいメモリーユニットＭ１〜Ｍｘの１つを検索できる。５秒毎に、アドレスが自動的に上昇される。その結果、後続のメモリーユニットが、該当する出力部ＯＰ１〜ＯＰｙと接続される。その結果、個々のメモリーユニットＭ１〜Ｍｘのデータセットは、絶え間なく１つのアプリケーション（例えば、ビデオフィルム）にまとまる。このとき、問い合わせられたデータセットの連続的な順序をいつでも中断でき、メモリーユニットの各々のデータセットの出力により継続できる。従って、手動で先または後へジャンプすることにより、フィルムの「先送りおよび巻き戻し」が可能である。全てのメモリーユニットＭ１〜Ｍｘは、同時にそのデータセットを切替部ＭＳに連続的に入力するので、原則的に、任意の数の使用者が、ほぼ自由選択で（この例では５秒ラスターで）メモリーＰＭにアクセスできる。使用者の数は、マトリックス切替部ＭＳの利用可能な出力部ＯＰ１〜ＯＰｙの数のみによって制限されている。ビデオフィルムの粒度は、メモリーユニットの数（すなわち、メモリー総量によるフィルムの最大の長さ）によって決定されている。マトリックス切替部ＭＳの出力部の数を出来るだけ少なくするためには、例えば、いわゆる多重化システムを使用することができる。その結果、複数の使用者は、唯一の出力部を介してアクセスできる。有利な実施形態では、メモリーユニットは、異なるアプリケーションに対して柔軟に適応できるように、その大きさを動的に設定できる。
【００２３】
図２のメモリーシステムの実施形態では、データアクセス時間および準備コストの最適化された、ネットワーク同報通信アプリケーション用メモリーシステムを提供できる。例えばビデオフィルムの格納について説明したように、ハードディスクメモリーＨＤ１〜ＨＤｎは、より古い／あまり人気のない多数のフィルム（大きなデータ量）を格納するために適している。しかしながら、一般的に、より古い／あまり人気のない多数のフィルムが同時に検索されることは非常に稀またはごく稀である（少ないデータ率）。これに対し、人気のある／最近のビデオフィルムを、高速メモリーＰＭ１〜ＰＭｉに格納する。高速メモリーＰＭ１〜ＰＭｉは、例えばＳＲＡＭ，ＤＲＡＭまたはフラッシュメモリーとして実施されている。メモリーＰＭ１〜ＰＭｉは、ハードディスクメモリーＨＤ１〜ＨＤｎよりも速いデータアクセス時間を有している。この構想では、人気のある／最近のフィルムが比較的頻繁に、および、非常に頻繁に同時に要求されるということを考慮する（少ないデータ量、大きなデータ率）。
【図面の簡単な説明】
【００２４】
【図１】従来技術の特にネットワーク同報通信アプリケーション用のメモリーシステムを示す図である。
【図２】本発明のメモリーシステムの一実施形態を示す図である。
【図３】本発明のメモリーシステムの他の実施形態を示す図である。
【図４】本発明のメモリーシステムに対する複数の使用者のデータアクセスについての経過パターンを示す図である。
【符号の説明】
【００２５】
ＨＤ１〜ＨＤｎ    ハードディスクメモリー
ＰＭ、ＰＭ１〜ＰＭｉ    メモリー
ＭＳ    マトリックス切替部
Ａ１〜Ａｘ    出力部
Ｉ１〜Ｉｘ    入力部
ＯＰ１〜ＯＰｙ    出力部
ＡＷ１、ＡＷ２    使用者
ＡＤＲ    アドレス
ＣＴＬ    制御入力部
Ｍ１〜Ｍｘ    メモリーユニット
ＣＫ    クロック信号
ｔ、ｔ１、ｔ２、ｔ３    時間
【図１】
2006515445.tif 000003
【図２】
2006515445.tif 000004
【図３】
2006515445.tif 000005
【図４】
2006515445.tif 000006
【手続補正書】
【提出日】平成16年11月26日(2004.11.26)
【手続補正１】
【補正対象書類名】特許請求の範囲
【補正対象項目名】全文
【補正方法】変更
【補正の内容】
【特許請求の範囲】
【請求項１】
特にビデオ／オーディオアプリケーションなどのネットワーク同報通信アプリケーション用のメモリーシステムであって、
少なくとも１つのメモリー（ＰＭ、ＰＭ１〜ＭＰｉ）と、
マトリックス切替部（ＭＳ）とを備え、
上記少なくとも１つのメモリー（ＰＭ、ＰＭ１〜ＭＰｉ）が、アドレス可能な複数のメモリーユニット（Ｍ１〜Ｍｘ）に分割されており、各メモリーユニット（Ｍ１〜Ｍｘ）が、データ交換用の専用出力部（Ａ１〜Ａｘ）を有し、
上記マトリックス切替部（ＭＳ）は、複数の入力部（Ｉ１〜Ｉｘ）と、少なくとも１つの出力部（ＯＰ１〜ＯＰｙ）と、少なくとも１つの制御入力部（ＣＴＬ）とを備えると共に、マトリックス切替部（ＭＳ）の各入力部がマトリックス切替部（ＭＳ）の出力部と接続可能になるように設計されており、
マトリックス切替部の入力部（Ｉ１〜Ｉｘ）はそれぞれ、異なるメモリーユニットの出力部（Ａ１〜Ａｘ）と接続されており、
マトリックス切替部の制御入力部（ＣＴＬ）を介して、マトリックス切替部の入力部（Ｉ１〜Ｉｘ）のどの入力部をマトリックス切替部の出力部（ＯＰ１〜ＯＰｙ）と接続するかを設定可能になっており、
マトリックス切替部は、複数のメモリーユニット（Ｍ１〜Ｍｘ）が、逐次的な順序で、マトリックス切替部の出力部（ＯＰ１〜ＯＰｙ）と接続されるように操作可能になっているとともに、上記メモリーユニットの第１配列とメモリーユニットの第２配列とが、独立してマトリックス切替部の出力部と接続されており、
上記マトリックス切替部は、各逐次的な順序を中断可能であり、メモリーユニットの各データセットの出力によって継続できるように操作可能になっている、メモリーシステム。
【請求項２】
メモリーユニット（Ｍ１〜Ｍｘ）にはそれぞれ、データセットが格納されており、
これらデータセットが、全体で、アプリケーション、特にビデオ／オーディオアプリケーションのまとまったデータセットを生成することを特徴とする、請求項１に記載のメモリーシステム。
【請求項３】
上記マトリックス切替部の出力部（ＯＰ１〜ＯＰｙ）には、独立してメモリーにアクセスする少なくとも２人の異なる使用者（ＡＷ１，ＡＷ２）が接続していることを特徴とする、請求項１または２に記載のメモリーシステム。
【請求項４】
上記メモリーは、各メモリーユニット（Ｍ１〜Ｍｘ）に蓄積されているデータが、該当するメモリーユニットの出力部（Ａ１〜Ａｘ）に逐次的に入力されるように駆動されていることを特徴とする、請求項１〜３のいずれか１項に記載のメモリーシステム。
【請求項５】
上記メモリーユニット（Ｍ１〜Ｍｘ）の大きさが動的に設定可能になっていることを特徴とする、請求項１〜４のいずれか１項に記載のメモリーシステム。
【請求項６】
上記メモリーシステムが、１さらに、他のメモリー（ＨＤ１〜ＨＤｎ）を有し、上記他のメモリー（ＨＤ１〜ＨＤｎ）は、少なくとも１つのメモリー（ＰＭ１〜ＰＭｉ）のデータアクセス時間よりも遅いデータアクセス時間を有し、
上記メモリー（ＨＤ１〜ＨＤｎ、ＰＭ１〜ＰＭｉ）が、独立して、各使用者（ＡＷ１，ＡＷ２）とそれぞれ接続可能になっていることを特徴とする、請求項１〜５のいずれか１項に記載のメモリーシステム。
【請求項７】
上記少なくとも１つのメモリー（ＰＭ、ＰＭ１〜ＰＭｉ）が、ＳＲＡＭ、ＤＲＡＭ、ＭＲＡＭまたはフラッシュメモリーとして設計されており、
上記他のメモリー（ＨＤ１〜ＨＤｎ）が、ハードディスクメモリーとして設計されていることを特徴とする、請求項６に記載のメモリーシステム。
【請求項８】
上記少なくとも１つのメモリー（ＰＭ１〜ＰＭｉ）に、第１アプリケーション、特に、ビデオ／オーディオアプリケーションのデータセットが格納されており、
上記他のメモリー（ＨＤ１〜ＨＤｎ）に、第２アプリケーション、特にビデオ／オーディオアプリケーションのデータセットが格納されており、上記第２アプリケーションの作成日が、第１アプリケーションよりも古いことを特徴とする、請求項６または７に記載のメモリーシステム。
【請求項９】
請求項１〜８の何れか１項に記載のメモリーシステムの操作方法であって、
上記各メモリーユニット（Ｍ１〜Ｍｘ）に１つのデータセットを格納し、
少なくとも２つの出力対象となる配列のために、逐次的な順序で、メモリーユニットの異なる１つのメモリーユニットをそれぞれアドレスし、
該当するデータセットを、マトリックス切替部（ＭＳ）を介して、各配列の出力部（ＯＰ１〜ＯＰｙ）に入力することを特徴とする、方法。
【請求項１０】
出力対象となる各配列のために、メモリーユニット（Ｍ１〜Ｍｘ）の１つをアドレスし、
アドレスされたメモリーユニットで開始する出力対象となる配列ごとに、上このアドレスされたメモリーユニットとそれに続く逐次的にアドレスされたメモリーユニットとからの完全なデータセットを、各マトリックス切替部の出力部（ＯＰ１〜ＯＰｙ）に入力することを特徴とする、請求項９に記載の方法。
【請求項１１】
それぞれのメモリーユニット（Ｍ１〜Ｍｘ）に格納されているデータを、該当するメモリーユニットの出力部（Ａ１〜Ａｘ）に逐次的に入力することを特徴とする、請求項９または１０に記載の方法。
【国際調査報告】
2006515445.tif 000007
2006515445.tif 000008
2006515445.tif 000009
2006515445.tif 000010
2006515445.tif 000011
2006515445.tif 000012